(57)【要約】      （修正有）【課題】子供でも容易に荷物を運搬でき、テーブルや椅子を同時に運搬可能で、かつ、安全性が高いピクニック用ワゴンセットを提供する。【解決手段】上部に開閉自在の蓋部が設けられたボックス状のワゴン本体２と、ワゴン本体２の上部を覆うように被せられ脱着自在に取り付けられる少なくとも１つの椅子５１，５２、を備えるワゴンセット１である。ワゴン本体２には、前方に回動自在に取り付けられた平面視略コ字状のハンドル３と、少なくとも４つの車輪４ａ，４ｂと、本体側面の表面に、少なくとも１つの凸部が設けられている。また、椅子５１，５２の内側面には、ワゴン本体２側面の凸部に係合する切欠き凹部が設けられ、凸部と切欠き凹部が係合する。これにより、椅子がワゴン本体に安定的に取り付けられる。【選択図】図２
0003221357.tif 000002
【実用新案登録請求の範囲】
【請求項１】
上部に開閉自在の蓋部が設けられたボックス状のワゴン本体と、前記ワゴン本体の上部を覆うように被せられ脱着自在に取り付けられる少なくとも１つの椅子、を備えるワゴンセットであって、
前記ワゴン本体には、
前方に回動自在に取り付けられた平面視略コ字状のハンドルと、
少なくとも４つの車輪と、
本体側面の表面に少なくとも１つの凸部が設けられ、
前記椅子の内側面には、前記凸部に係合する切欠き凹部が設けられ、
前記凸部と前記切欠き凹部が係合することにより、前記椅子が前記ワゴン本体に取り付けられることを特徴とするピクニック用ワゴンセット。
【請求項２】
前記ワゴン本体は、前記蓋部を閉じた状態でテーブルとして機能し、
前記ハンドルを回動させて前記ワゴン本体の後方に折り畳むことで、前記ハンドルが前記車輪の少なくとも何れかと当接して、前記車輪の回転を抑制し、前記ワゴン本体の揺れを防止し得ることを特徴とする請求項１に記載のピクニック用ワゴンセット。
【請求項３】
前記椅子は、前記ワゴン本体の前方部と後方部に１つずつ設けられ、
前記凸部は円形状で、前記切欠き凹部は逆Ｕ字状であることを特徴とする請求項１又は２に記載のピクニック用ワゴンセット。
【請求項４】
前記ハンドルは、前記ワゴン本体の後方に折り畳んだ状態で前記車輪と当接する部位に、前記車輪との接触面積又は接触点を増加する構造を有することを特徴とする請求項２に記載のピクニック用ワゴンセット。
【請求項５】
前記ワゴン本体の側面同士を繋ぐ角部及び前記椅子の側面同士を繋ぐ角部は、丸みを帯びた形状とされたことを特徴とする請求項１〜４の何れかに記載のピクニック用ワゴンセット。
【考案の詳細な説明】
【技術分野】
【０００１】
本考案は、子供のピクニック用ワゴンセットに関するものである。
【背景技術】
【０００２】
子供の遊び方の態様は、時代と共に変わってきている。かつては、鬼ごっこをする等、外で遊ぶ子供が多かったが、近年では、家の中でテレビを見たり、ゲームをしたりして過ごす子供が多くなっている。
外遊びは、運動能力が養われ、身体が強くなるといった効果だけではなく、太陽の下で遊ぶことで夜の眠りがスムーズになるといった効果も期待できる。
また、近年では、核家族化や共働きなどにより、親子間のコミュニケーションの希薄化も問題となっている。子供は、親とコミュニケーションをとったり、触れ合ったりすることで、親との絆がより強くなるといわれている。
【０００３】
そこで、家族で外に行き共に遊ぶことが、子供の健全な発達にとって極めて有益であるといえる。例えば、弁当を持って野山等に出かけるピクニックは、子供にとって外遊びができると同時に、親子間のコミュニケーションも図られるため、親子共々楽しめ、運動不足の解消やストレス解消にも有効である。
そして、ピクニックを家族で楽しむためには、子供自身も主体的に参加することが好ましい。例えば、弁当や敷物といった荷物を大人だけではなく、子供も一緒に運ぶことができれば、子供も自分が家族の一員として役割を果たしていることを自覚できるようになり、達成感が高まり、心身共に成長することが期待できる。
【０００４】
また、一般にピクニックにおいては、敷物等を敷いてその上に座り飲食や休憩をとることが多いが、椅子やテーブル等があれば、非常に便利であることは言うまでもない。しかしながら、椅子やテーブルは一般に重量が重く、容易に持ち運びできないという問題がある。
しかも、弁当等の荷物だけではなく、椅子やテーブル等を非力な子供が持ち運ぶことは、非常に困難である。
【０００５】
運搬物を用意に運ぶことのできる技術としては、運搬物の重さに応じて、運搬用具の形態を変化させるバスケットが知られている（特許文献１を参照）。これは、バスケットに手提げ用ハンドルだけではなく、牽引用ハンドル及びローラーが設けられ、運搬物が軽い場合には手提げ用ハンドルで手提げし、重い場合はバスケットを床に降ろして牽引用ハンドルと底部のローラーを使用して牽引するものである。
しかしながら、特許文献１に開示されたバスケットは、椅子やテーブルを一緒に持ち運ぶための工夫はなされておらず、弁当等と共に椅子やテーブルを運搬することは困難であるという問題がある。
また、子供が利用する際には、怪我等が起こらないように安全性に配慮した構造とする必要があるが、かかる配慮もなされていないという問題がある。
【先行技術文献】
【特許文献】
【０００６】
【特許文献１】実用新案登録第３１４４１３６号公報
【考案の概要】
【考案が解決しようとする課題】
【０００７】
上記状況に鑑みて、本考案は、子供でも容易に荷物を運搬でき、テーブルや椅子を同時に運搬可能で、かつ、安全性が高いピクニック用ワゴンセットを提供することを目的とする。
【課題を解決するための手段】
【０００８】
上記目的を達成すべく、本考案のピクニック用ワゴンセットは、上部に開閉自在の蓋部が設けられたボックス状のワゴン本体と、ワゴン本体の上部を覆うように被せられ脱着自在に取り付けられる少なくとも１つの椅子、を備えるワゴンセットである。ワゴン本体には、前方に回動自在に取り付けられた平面視略コ字状のハンドルと、少なくとも４つの車輪と、本体側面の表面に、少なくとも１つの凸部が設けられている。また、椅子の内側面には、ワゴン本体側面の凸部に係合する切欠き凹部が設けられ、凸部と切欠き凹部が係合する。これにより、椅子がワゴン本体に安定的に取り付けられる。
椅子の内側面に設けられた切欠き凹部が、ワゴン本体側面の凸部と係合固定される部位から下方に向けて切欠きが拡がっていることで、椅子をワゴン本体の上部を覆うように被せる際に、椅子を容易にワゴン本体側面の凸部に係合させて取り付けることが可能となる。
また、凸部と切欠き凹部が係合し、上方向、左右方向が固定されることにより、ワゴン本体を牽引して移動させた場合でもワゴン本体から椅子が脱落し難い構造となっている。
そして、平面視略コ字状のハンドルが前方に設けられ、そのハンドルを用いて牽引することにより、力の弱い子供でも容易に牽引することができる。なお、利用者は子供に限られず、大人が利用することも可能である。また、利用場所についても、屋外に限られず、室内で利用してもよい。
【０００９】
本考案のピクニック用ワゴンセットにおいて、ワゴン本体は、蓋部を閉じた状態でテーブルとして機能し、ハンドルを回動させてワゴン本体の後方に折り畳むことで、ハンドルが車輪の少なくとも何れかと当接して、車輪の回転を抑制し、ワゴン本体の揺れを防止できる。
ワゴン本体の上部に蓋部が設けられることにより、弁当箱等の荷物を脱落させることなく、安全に運搬することが可能となる。また、蓋部を閉じた状態では、テーブルとして利用できるため、別途テーブルを持参する必要はなく、利便性が向上する。
ここで、ハンドルを回動させて平面視略コ字状の内側にワゴン本体が位置するように折り畳んだ際に、ワゴン本体の車輪と当接することにより、簡易な構造で、ワゴン本体の揺れを防止することができる。単にワゴン本体を停止させておく場合だけではなく、ワゴン本体をテーブルとして利用する際にもワゴン本体が揺れ難くなるため、安定性の高いテーブルとして使用できる。
【００１０】
本考案のピクニック用ワゴンセットにおいて、椅子は、１つだけ設けられる構成でもよいが、ワゴン本体の前方部と後方部に１つずつ設けられたことが好ましい。２つの椅子が設けられることにより、２人でテーブルを囲んで食事を楽しむことが可能となる。また、椅子を３つ以上設ける構成では、ワゴン本体の前方部、中央部及び後方部に１つずつ設けられた構成としてもよい。
また、ワゴン本体の前方部と後方部に１つずつ設けられた椅子の外側にさらに椅子を重ね取り付けることで、より多数の椅子を設ける構成としてもよい。かかる場合には、椅子自体に切欠き凹部だけではなく凸部を設けてもよい。
ここで、凸部は円形状で、切欠き凹部は逆Ｕ字状であり、Ｕ字の湾曲の曲率と、凸部の円形の曲率を合せることで、安定的に係合固定できる。
【００１１】
本考案のピクニック用ワゴンセットにおいて、ハンドルは、ワゴン本体の後方に折り畳んだ状態で車輪との当接部位に、摩擦力を高めるための機構、特に、車輪との接触面積又は接触点を増加する構造を有することが好ましい。
摩擦力を高めるための機構としては、例えば、樹脂製の部材を貼り付けたり、当接部位に円弧状の凹みを設けるといった構成が考えられる。
【００１２】
本考案のピクニック用ワゴンセットにおいて、ワゴン本体の側面同士を繋ぐ角部及び椅子の側面同士を繋ぐ角部は、丸みを帯びた形状とされたことが好ましい。
角部を、丸みを帯びた形状とすることで、子供が誤ってぶつかったとしても、怪我をし難い構成とすることができる。したがって、ワゴン本体の側面同士を繋ぐ角部以外についても、各部材の鋭角な部位を丸く形成することが好ましい。
【考案の効果】
【００１３】
本考案によれば、子供でも容易に荷物を運搬でき、テーブルや椅子を同時に運搬可能で、かつ、安全性が高いといった効果を有する。
【図面の簡単な説明】
【００１４】
【図１】ハンドル伸展時の平面図
【図２】ハンドル伸展時の使用イメージ図
【図３】ハンドル伸展時の正面図
【図４】ハンドル折り畳み時の正面図
【図５】ハンドル折り畳み時の平面図
【図６】椅子の構造説明図
【図７】椅子の取り外しイメージ図
【図８】ワゴン本体の構造説明図
【図９】ピクニック用ワゴンセットを用いた飲食イメージ図
【考案を実施するための最良の形態】
【００１５】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１６】
図１は、ハンドル伸展時の平面図であり、（１）はワゴン本体に椅子を取り付けた状態、（２）はワゴン本体から椅子を取り外した状態を示している。図１（１）に示すように、ピクニック用ワゴンセット１は、ワゴン本体２、ハンドル３、車輪（４ａ〜４ｄ）及び椅子（５１，５２）から成る。ワゴン本体２、ハンドル３及び椅子（５１，５２）は主に木材から成り、車輪（４ａ〜４ｄ）は、表面が樹脂で形成されている。主に木材で構成されることにより、自然の温もりの感じられるワゴンセットとすることができる。なお、各部材を結合する留め具等には、金属製の螺子等が用いられている。
図１（１）に示すように、ワゴン本体２は、側面同士を繋ぐ角部が丸みを帯びた形状となっており、上部には蓋部２１が設けられている。蓋部２１は、軸部２１ａを軸中心に上方に開閉自在となっている。
ハンドル３は、中央把持部３１、左把持部３２ａ、右把持部３２ｂ及び固定部材３３から成り、固定部材３３は、ワゴン本体２に取付け固定されている。中央把持部３１、左把持部３２ａ及び右把持部３２ｂは、略コ字状に形成され、左把持部３２ａ及び右把持部３２ｂは、固定部材３３と接続されている。左把持部３２ａ及び右把持部３２ｂの両端部は丸く形成されており、安全性が高められている。
【００１７】
図２は、ハンドル伸展時の使用イメージ図を示している。図１（１）及び図２に示すように、利用者８は、中央把持部３１、左把持部３２ａ、右把持部３２ｂ及び固定部材３３により形成された空間に入り、中央把持部３１を把持して、矢印１１ａに示す方向に、ピクニック用ワゴンセット１を牽引することが可能である。また、中央把持部３１を把持する以外に、利用者８の体型等に合わせて、左把持部３２ａや右把持部３２ｂを把持して牽引してもよい。
利用者８は子供であるが、図１（１）に示すように、ピクニック用ワゴンセット１には、車輪（４ａ〜４ｄ）が設けられているため、ワゴン本体２内部に、弁当等の荷物が収容されていたとしても、ハンドル３を用いて、容易に地面９上を牽引することが可能である。
【００１８】
図３はハンドル伸展時の正面図、図４はハンドル折り畳み時の正面図をそれぞれ示している。
ハンドル３は、固定部材３３を軸として、中央把持部３１、左把持部３２ａ及び右把持部３２ｂを回動自在にワゴン本体２の前方に伸展することができる。したがって、図３に示すように、利用者８の身長や体型に合わせて、自在に高さを調節して利用することが可能である。
また、図４に示すように、ハンドル３は、固定部材３３を軸として、中央把持部３１、左把持部３２ａ及び右把持部３２ｂをワゴン本体２の後方に折り畳むことも可能である。
【００１９】
図５は、ハンドル折り畳み時の平面図であり、（１）はワゴン本体に椅子を取り付けた状態、（２）はワゴン本体から椅子を取り外した状態を示している。
ハンドル３をワゴン本体２の後方に折り畳むことにより、図５（１）に示すように、ピクニック用ワゴンセット１の全長を、図１（１）に示す長さＬ１よりも短い長さＬ２とすることができ、コンパクトに収納することが可能となる。
また、図４及び図５（１）に示すように、ハンドル３を折り畳んだ状態では、左把持部３２ａが車輪（４ａ，４ｂ）に当接し、右把持部３２ｂが車輪（４ｃ，４ｄ）に当接している。車輪（４ａ〜４ｄ）と左把持部３２ａ及び右把持部３２ｂとの摩擦力により、車輪（４ａ〜４ｄ）は地面９上において回転しづらくなり、車止めと同様の効果が得られる。
【００２０】
ここで、椅子（５１，５２）の構造について説明する。図６は、椅子の構造説明図であり、（１）は平面図、（２）はＡ−Ａ断面図を示している。
図６（１）に示すように、椅子５１は、座板５１ａ及び側板（５１ｂ〜５１ｄ）から成る。側板（５１ｂ〜５１ｄ）は、１枚の木板が曲げ加工を施され形成されたものである。したがって、側板５１ｂと側板５１ｃの境目及び側板５１ｃと側板５１ｄの境目はいずれも丸みを帯びた形となっており、子供が触れても怪我をし難く、安全性が高い形状となっている。側板５１ｂには切欠き凹部７ｃが設けられ、側板５１ｄには切欠き凹部７ａが設けられている。
また、椅子５２は、座板５２ａ及び側板（５２ｂ〜５２ｄ）から成る。側板（５２ｂ〜５２ｄ）も、１枚の木板が曲げ加工を施され形成されたものである。したがって、側板５２ｂと側板５２ｃの境目及び側板５２ｃと側板５２ｄの境目はいずれも丸みを帯びた形となっており、安全性が高い形状となっている。側板５２ｂには切欠き凹部７ｄが設けられ、側板５２ｄには切欠き凹部７ｂが設けられている。
【００２１】
切欠き凹部（７ａ〜７ｄ）はいずれも同様の形状となっているため、ここでは切欠き凹部７ｄを例に説明する。なお、図７（２）では説明のため、ワゴン本体２に設けられた凸部６ｄも図示している。
図７（２）に示すように、側板５２ｂの略中央には、略円形状に、そして側板５２ｂの略中央から下方に向けて裾野が広がる形状に切欠き凹部７ｄが設けられている。椅子５２がワゴン本体２に取り付けられた際には、図７（２）に示すように、凸部６ｄが切欠き凹部７ｄと係合する。切欠き凹部７ｄが下方に向けて裾野が広がる形状とされることにより、ワゴン本体２の上部に椅子５２を取り付ける際に、凸部６ｄと当接する切欠き凹部７ｄの幅が広くなり、係合しやすい形状となっている。
また、一旦取り付けられると、左右には動かないため、図２に示すように、ワゴン本体２に椅子（５１，５２）を取り付けた状態でピクニック用ワゴンセット１を牽引したとしても、ワゴン本体２から椅子（５１，５２）は脱落しない構造となっている。
【００２２】
具体的には、椅子５１の切欠き凹部７ａはワゴン本体２の凸部６ａと係合し、切欠き凹部７ｃはワゴン本体２の凸部６ｃと係合する。また、椅子５２の切欠き凹部７ｂはワゴン本体２の凸部６ｂと係合し、切欠き凹部７ｄはワゴン本体２の凸部６ｄと係合する。
なお、本実施例においては、椅子（５１，５２）は同形状を呈しているため、前後逆に取り付けることも可能である。また、椅子（５１，５２）にはそれぞれ２箇所の係合部が設けられているが、凸部（６ａ〜６ｄ）及び切欠き凹部（７ａ〜７ｄ）は、ワゴン本体２からの椅子（５１，５２）の脱落を防止するためのものであるため、椅子１つにつき、１箇所だけ設けられた構成でもよい。
【００２３】
図７は、椅子の取り外しイメージ図を示している。図７に示すように、ハンドル３を折り畳んだ状態で、矢印１１ｄに示すように、椅子５１を上方に引き上げて取り外すことができる。また、椅子５２についても同様に、矢印１１ｅに示すように、上方に引き上げて取り外すことができる。ハンドル３を伸展した状態で椅子（５１，５２）を取り外すことも可能であるが、取り外しの際にワゴン本体２が前後に動いてしまう恐れがあるので、特に１人で椅子（５１，５２）の取り外し作業を行う場合には、ハンドル３を折り畳んだ状態で行うことで容易に作業できる。
なお、ここでは説明の都合上、ワゴン本体２の前後方向の地面９上に、取り外した椅子（５１，５２）を置いているが、ワゴン本体２をテーブルとして利用する場合には、ワゴン本体２の左右方向に椅子（５１，５２）を配置するのが好適である。
【００２４】
図８は、ワゴン本体の構造説明図を示している。ワゴン本体２はボックス状であり、上部には開閉自在の蓋部２１が設けられているため、内部に弁当や飲み物といった荷物を収容できる。収容された弁当箱等の荷物を取り出す際には、図８に示すように、矢印１１ｆに示すように蓋部２１を開けて、容易に取り出すことができる。ここでも、ハンドル３は折り畳まれているため、車輪（４ａ〜４ｄ）と左把持部３２ａ及び右把持部３２ｂとの摩擦力により車止めの効果が得られ、弁当箱等を取り出す際にワゴン本体２が動いてしまうことを防止できる。
【００２５】
図９は、ピクニック用ワゴンセットを用いた飲食イメージ図を示している。図９に示すように、ワゴン本体２の右に椅子５１を配置し、左に椅子５２を配置している。椅子５１には利用者８ａが座っており、椅子５２には利用者８ｂが座っている。
ワゴン本体２の蓋部２１は閉じられており、上部はテーブルとして利用することが可能である。ワゴン本体２の上部には、弁当箱１０ａ及び飲み物の入ったコップ１０ｂが並べられており、利用者（８ａ，８ｂ）は、お互いの顔を見ながら、近い距離で会話し、戸外での飲食を楽しむことができる。
【００２６】
（その他の実施例）
（１）椅子については、椅子（５１，５２）が連結された１つの椅子でもよい。１つの椅子である場合には、ワゴン本体２の前後に椅子が脱落する恐れが少ないので、ワゴン本体２上の凸部や椅子の内側面の切欠き凹部は設けなくてもよい。
（２）左把持部３２ａ又は右把持部３２ｂの少なくとも何れかに、車輪（４ａ〜４ｄ）との摩擦力を高める加工を施す等、滑り止め機構が設けられた構成でもよい。
【産業上の利用可能性】
【００２７】
本考案は、子供のピクニック用ワゴンセットとして有用である。
【符号の説明】
【００２８】
１  ピクニック用ワゴンセット
２  ワゴン本体
３  ハンドル
４ａ〜４ｄ  車輪
６ａ〜６ｄ  凸部
７ａ〜７ｄ  切欠き凹部
８，８ａ，８ｂ  利用者
９  地面
１０ａ  弁当箱
１０ｂ  コップ
１１ａ〜１１ｆ  矢印
２１  蓋部
２１ａ  軸部
３１  中央把持部
３２ａ  左把持部
３２ｂ  右把持部
３３  固定部材
５１，５２  椅子
５１ａ，５２ａ  座板
５１ｂ〜５１ｄ，５２ｂ〜５２ｄ  側板
Ｌ  長さ
【図１】
0003221357.tif 000003
【図２】
0003221357.tif 000004
【図３】
0003221357.tif 000005
【図４】
0003221357.tif 000006
【図５】
0003221357.tif 000007
【図６】
0003221357.tif 000008
【図７】
0003221357.tif 000009
【図８】
0003221357.tif 000010
【図９】
0003221357.tif 000011
【手続補正書】
【提出日】平成31年3月7日(2019.3.7)
【手続補正１】
【補正対象書類名】実用新案登録請求の範囲
【補正対象項目名】請求項４
【補正方法】変更
【補正の内容】
【請求項４】
前記ハンドルは、前記ワゴン本体の後方に折り畳んだ状態で前記車輪と当接する部位に、摩擦力を高める樹脂製の部材が貼り付けられ、又は、円弧状の凹みを設けられたことを特徴とする請求項２に記載のピクニック用ワゴンセット。